(57)【要約】【課題】  介助者が浴槽の側壁の外から浴槽内の入浴者を介護し易い浴槽を提供すること。【構成】  浴槽-部（５）を備えた入浴装置（４７）において、前記浴槽部（５）の側壁（８）の頂部（９）の上面に、該側壁（８）の延長方向に沿って溢水を回集し排水する溢水溝（１０）を設け、前記頂部（９）の高さを低め、溢水溝（１０）は、断面視略Ｕ字状のＵ字状溝部（２９）と、該Ｕ字状溝部（２９）に設けた複数の溢水排水口（３０）とからなり、入浴装置（４７）は昇降式浴槽（２）であり、浴槽架台（６）は、低位の側壁（８）の高さに合わせて低く構成され、搬送車（３）が付加設置され、担架（４）は搬送車架台（２５）と浴槽架台（６）間を移乗するものであり、前記搬送車架台（２５）もその高さは前記浴槽架台（６）の高さに合わせて低く構成される溢水溝式入浴装置である。【選択図】      図１
2006212060.tif 000002
【特許請求の範囲】
【請求項１】
浴槽部（５）を備えた入浴装置（４７）において、前記浴槽部（５）の側壁（８）の頂部（９）の上面に、該側壁（８）の延長方向に沿って溢水を収集し排水する溢水溝（１０）を設け、前記頂部（９）の高さを低めたことを特徴とする溢水溝式入浴装置。
【請求項２】
溢水溝（１０）は、断面視略Ｕ字状のＵ字状溝部（２９）と、該Ｕ字状溝部（２９）に設けられＵ字状溝部（２９）の水を排水する複数の溢水排水口（３０）とからなることを特徴とする請求項１記載の溢水溝式入浴装置。
【請求項３】
入浴装置（４７）は浴槽部（５）内に担架（４）を載せる浴槽架台（６）を設けた昇降式浴槽（２）であり、前記浴槽架台（６）は、低位の側壁（８）の高さに合わせて低く構成され、
前記担架（４）を載せる搬送車架台（２５）が設けられた搬送車（３）が付加設置され、担架（４）は搬送車架台（２５）と浴槽架台（６）の間を移乗するものであり、
前記搬送車架台（２５）もその高さは前記浴槽架台（６）の高さに合わせて低く構成されることを特徴とする請求項１記載の溢水溝式入浴装置。
【発明の詳細な説明】
【技術分野】
【０００１】
本発明は、身体障害者や要介護老人等（以下入浴者という）を入浴させる溢水溝式入浴装置に関する。
【背景技術】
【０００２】
従来の技術の特開平７−２６５３７１号公報には、可撓管、側壁上部に設けられた溢水口等を有する扉付き浴槽が開示されている。
【特許文献１】特開平７−２６５３７１号公報
【発明の開示】
【発明が解決しようとする課題】
【０００３】
従来技術に係る浴槽の溢水口は、浴槽の内側面上部に開けられており、溢水口より上位置に湯が溢れないための側壁が延設されており、側壁が高い。
【０００４】
前記従来技術では、介助者が浴槽の側壁の外から浴槽内の入浴者を介助する時、側壁が高くて介助し難いという難点がある。
又、入浴者を搬送車の乗面に乗せて、該搬送車を浴槽に結合させて入浴するものの場合は、側壁が高くて浴槽内の入浴者を介助し難いという難点があると共に、搬送車はその乗面を側壁と略同高若しくはそれ以上の高さに構成しているから、乗面が高く、介助者は入浴者を該乗面へ乗降させる介助がし難いという難点がある。
【０００５】
又、昇降式浴槽の場合は、側壁が高いので昇降式浴槽の昇降距離が大きく、製造経費も嵩むという難点があった。
【課題を解決するための手段】
【０００６】
本発明の目的は、介助者が浴槽側壁の外から浴槽内の入浴者を介助し易い浴槽を提供することである。
本発明は、浴槽部（５）を備えた入浴装置（４７）において、前記浴槽部（５）の側壁（８）の頂部（９）の上面に、該側壁（８）の延長方向に沿って溢水を収集し排水する溢水溝（１０）を設け、前記頂部（９）の高さを低めたことを特徴とする溢水溝式入浴装置である。
又、溢水溝（１０）は、断面視略Ｕ字状のＵ字状溝部（２９）と、該Ｕ字状溝部（２９）に設けられＵ字状溝部（２９）の水を排水する複数の溢水排水口（３０）とからなる。
更に、入浴装置（４７）は浴槽部（５）内に担架（４）を載せる浴槽架台（６）を設けた昇降式浴槽（２）であり、前記浴槽架台（６）は、低位の側壁（８）の高さに合わせて低く構成され、前記担架（４）を載せる搬送車架台（２５）が設けられた搬送車（３）が付加設置され、担架（４）は搬送車架台（２５）と浴槽架台（６）の間を移乗するものであり、前記搬送車架台（２５）もその高さは前記浴槽架台（６）の高さに合わせて低く構成される。
【発明の効果】
【０００７】
本発明は、浴槽部５を備えた入浴装置４７において、前記浴槽部５の側壁８の頂部９の上面に、該側壁８の延長方向に沿って溢水を収集し排水する溢水溝１０を設け、前記頂部９の高さを低めたものであるから、介助者が浴槽部５の側壁８の外から浴槽部５内の入浴者を介助し易く、好都合である。
【０００８】
本発明に係る溢水溝１０は、断面視略Ｕ字状のＵ字状溝部２９と、該Ｕ字状溝部２９に設けられＵ字状溝部２９の水を排水する複数の溢水排水口３０とからなるので、過失により溢水溝１０に手が入っても、該溢水溝１０に手が絡むことは無く怪我をすることは無く安全であり、又、溢水する浴槽部５内の湯は溢水溝１０に全部収容され、床面２０に零れず湯の飛散を押さえることができ、好都合である。
又、Ｕ字状溝部２９にフィルター５０を設けたものでは、浴槽部５内のゴミ（＝浮遊物）が、溢水溝１０へ入ってもフィルター５０に掛かり、排水管３へは流下しない。介助者はフィルター５０に掛かった前記ゴミを簡単に取り出し廃棄でき、排水管３へ前記ゴミは流れず排水管３の詰まりを防ぐことができ、好都合である。
【０００９】
本発明は、担架４を載せる搬送車架台２５が設けられた搬送車３が付加設置され、担架４は搬送車架台２５と浴槽架台６の間を移乗又は往復移乗するものであり、前記搬送車架台２５もその高さは浴槽架台６の高さに合わせて低く構成される。
【００１０】
上記構成によれば、前述の様に、介助者が浴槽部５の側壁８の外から浴槽部５内の入浴者を介助し易い上に、搬送車架台２５も低位に構成されるので該搬送車架台２５へ入浴者を乗降させる介助を行い易く、好都合である。
【発明を実施するための最良の形態】
【００１１】
介助者が浴槽側壁の外から浴槽内の入浴者を容易に介助するという課題を、浴槽部５を備えた入浴装置４７において、前記浴槽部５の側壁８の頂部９の上面に、該側壁８の延長方向に沿って溢水を収集し排水する溢水溝１０を設け、前記頂部９の高さを低めることによって実現した。
【実施例１】
【００１２】
図１に溢水溝式入浴装置１の実施例１を示しており、該実施例１の溢水溝１０が設けられた入浴装置４７は、昇降式浴槽２と、昇降式浴槽２に接合できる搬送車３と、昇降式浴槽２と搬送車３との間を移動する担架４とからなる。
【００１３】
昇降式浴槽２は、浴槽部５と、該浴槽部５の内部にあって担架４を載せる浴槽架台６と、浴槽部５を昇降させる昇降支持部７とから構成される。
【００１４】
浴槽部５の側壁８の頂部９の上面に、該上面の延長方向に沿って溢水を収集し排水する溢水溝１０が設けられる。この側壁８は、溢水溝１０を設ける位置が頂部９であり従来浴槽のように前記溢水溝９より上位置に溢水防止用の側壁８は設けられない。従って、実施例１の側壁８は従来の側壁に比して縦方向の寸法が小さい。
溢水溝１０は、断面視略Ｕ字状のＵ字状溝部２９と、Ｕ字状溝部２９の底部に敷設される金網でなるフィルター５０と、前記Ｕ字状溝部２９に設けられＵ字状溝部２９の水を排水する複数の溢水排水口３０とからなる。溢水排水口３０には溢水を排水ピット４８へ導く排水管３１が接続される。
前記フィルター５０は浴槽部５から溢れて来たゴミを掛け止めるものである。
【００１５】
浴槽部５の底壁１１にはスライドシール体１２が設けられる。側壁８には上カバー１３が設けられる。
【００１６】
昇降支持部７は、基枠１４と、浴槽部５を昇降させるＸフレーム１５と、Ｘフレーム１５を起伏変形させる伸縮体１６（具体例では油圧シリンダー）と、基枠１４の端部に取着される下カバー１７とからなる。
【００１７】
前記浴槽架台６は支柱１８と架台部１９とからなり、前記支柱１８は、基枠１４に立設され、スライドシール体１２を貫通している。支柱１８の上端には架台部１９が取着される。
前記架台部１９は側壁８の頂部９の高さと略同高に揃えて低く構成される。
架台部１９は浴槽部５を上昇させることにより浴槽部５内に進入し、入浴者を浴槽部５内の湯に浸け、入浴に供するものである。
【００１８】
搬送車３は、床面２０を走行する車輪２１と、車輪２１を下面に取着するフレーム２２と、フレーム２２に立設される脚２３と、脚２３の上部に取着される水受け２４と、水受け２４の上方にあって脚２３の上端に取着される搬送車架台２５とからなる。
【００１９】
フレーム２２の横方向の端部には、搬送車３を昇降式浴槽２に接合した時搬送車３を昇降式浴槽２に掛止する掛止具２６が設けられる。該掛止具２６の掛止作用は適宜手動操作で解除される。
搬送車３は、担架４を搬送し昇降式浴槽２に接合でき、前述の接合後、搬送車３上の担架４は、搬送車架台２５から浴槽架台６へ移乗できるように構成される。
搬送車架台２５は前記浴槽架台６と略同高に構成しており、前記浴槽架台６と同様に低位に構成される。
【００２０】
担架４は、乗部２７と、乗部２７の下面に設けられ搬送車架台２５及び浴槽架台６を転動するローラー２８とからなる。
担架４は、入浴者を乗せるものであり、通常は搬送架台２５に載置される。
入浴者は脱衣場又は居室で搬送車架台２５上の担架４に乗せられ、該担架４は、搬送車架台２５から浴槽架台６に移乗され、昇降式浴槽２の湯中に沈められ、入浴に供される。
【００２１】
実施例１を使用する際は、介助者は、脱衣した入浴者を搬送車３上の担架４に搬送する。搬送車３を昇降式浴槽２に接合し、担架４を搬送車架台２５から浴槽架台６へ移乗させる。
【００２２】
浴槽部５を上昇させ、担架４及び入浴者を浴槽部５内の湯に浸け、入浴を行なう。
介助者は、側壁８の外部から入浴者の介助を行なう。
入浴時の溢水は、内側頂部９ｂを越えて溢水溝１０へ入り、溢水排水口３０から排出される。溢水は全部溢水溝１０へ吸収され、外側頂部９ａを越えず、浴槽部５の湯が床面に零れることはない。
浴槽部５から溢水溝１０へ入ったゴミはフィルター５０に掛かる。該ゴミは介助者により適宜廃棄される。
【００２３】
浴槽部５内の湯は内側頂部９ｂの高さまで満たせるので、従来浴槽と同等の水深を確保できる。頂部９より上方に側壁８が無いので、側壁８の上下方向の寸法（＝縦幅）を小さくできる。
側壁８の縦幅が小さい故に、浴槽部５を上昇させた時の床面２０から頂部まで高さを低くでき、介助者は側壁８外からの介助が容易である。
【００２４】
又、側壁８が低いので、浴槽部５を下降させた時の床面から頂部９までの高さも低く、昇降式浴槽２の外から側壁８を越えて進入して来る担架４を受ける浴槽架台６も低く構成できる。そして、浴槽架台６と略同高とする搬送車架台２５も低く構成でき、それ故に介助者は入浴者を搬送車架台２５へ乗降させる介助が容易である。
溢水溝１０はＵ字形状の一条の溝であるので、該溢水溝１０に人の手が入っても、その手が溢水溝１０に引っ掛かることは無い。
【００２５】
浴槽部５を下降させ、担架４及び入浴者を浴槽部５内の湯から出す。担架４を、昇降式浴槽２に接合の上掛止させている搬送車３の搬送車架台２５へ移す。
掛止具２６の掛止作用を解除し、搬送車３を昇降式浴槽２から離し、入浴者を所望の場所へ搬送し、該入浴者を担架４からベッド（図示省略）等へ降ろし、入浴を終わる。
【実施例２】
【００２６】
図２に示す実施例２は、実施例１の搬送車３を差込式搬送車３２に代えたものである。
実施例２の差込式搬送車３２は、差込脚３３を有する脚フレーム（図示省略）と、搬送車支柱３４と、差込脚３３の上方に位置し搬送車支柱３４に取着される一体式担架３５とから構成される。
【００２７】
昇降式浴槽２に差込式搬送車３２を接合する時、基枠１４の一部に設けられた差込用空間４９に、前記差込脚３３を差し込み、一体式担架３５を昇降式浴槽２の上に位置させる。昇降式浴槽２を上昇させて入浴を行なう。
前記一体式担架３５も、浴槽架台６の高さに合わせて低く構成されており、該一体式担架３５への入浴者の乗降が容易である。
図２中、３６はコントロールパネル、３７は給湯ノズル、３８はハンドシャワーである。
【実施例３】
【００２８】
図３に示す実施例３は、実施例１の昇降式浴槽２を扉付浴槽３９に代えたものである。
実施例３では、扉付浴槽３９に入浴者を入浴用車椅子（図示省略）に座らせたまま入れ、扉４０を閉めた後、貯湯槽４１の湯を扉付浴槽３９へ移動し、扉付浴槽３９に湯を満たし、入浴を行なう。
扉付浴槽３９の側壁８の頂部９には溢水溝１０が設けられ、側壁８の高さを低くでき、側壁の外から入浴者の介助が容易である。
図３中、４２は薬液補給口、４３は温度計、４４は水位センサー、４５はフック、４６はフック受けである。
【産業上の利用可能性】
【００２９】
浴槽部５の側壁８の頂部９に溢水溝１０を設け、側壁８を低くし、介助者が側壁８の外から浴槽部５内の入浴者を介助し易いように構成した溢水溝式入浴装置１に適用できる。
【図面の簡単な説明】
【００３０】
【図１】本発明実施例１の内部を透視した正面図である。
【図２】本発明実施例２の斜視図である。
【図３】本発明実施例３の斜視図である。
【符号の説明】
【００３１】
１  溢水溝式入浴装置
３  搬送車
４  担架
５  浴槽部
６  浴槽架台
８  側壁
９  頂部
１０  溢水溝
２５  搬送車架台
２９  Ｕ字状溝部
３０  溢水排水口
４７  入浴装置
【図１】
2006212060.tif 000003
【図２】
2006212060.tif 000004
【図３】
2006212060.tif 000005